(57)【特許請求の範囲】
【請求項１】
所定スパンで配列された支持点間に各々足場ワイヤーを張設し、これらの足場ワイヤーにそれぞれ足場を布設して、区間ごとの載荷荷重を当該区間の両支持点だけで負担する吊り足場において、各区間の支持点間に不釣合い力伝達棒状部材を張り渡して、各区間の両支持点が負担する載荷荷重を隣接する他の区間の支持点へと分散させることを特徴とする荷重分散型吊り足場の施工法。
【請求項２】
所定スパンで配列された支持材１にそれぞれワイヤー取付パイプ２を組み付け、これらのワイヤー取付パイプ２の相互間に適数の足場ワイヤー３と不釣合い力伝達棒状部材４とを張設し、それらの足場ワイヤー３にそれぞれ足場５を装着することで、各区間の両支持材１が負担する載荷荷重をそれらの不釣合い力伝達棒状部材４を介して隣接する他の区間の支持材１へと分散させることを特徴とする荷重分散型吊り足場の施工法。
【発明の詳細な説明】
【０００１】
【発明の属する技術分野】
本発明は、屋根トラス等に設ける荷重分散型吊り足場の施工法に関する。
【０００２】
【従来の技術】
屋根トラスを有する大型構造物等では、屋根トラスに、キャットウォーク、作業用足場等としての吊り足場が設けられる。
この吊り足場の場合、各区間の足場は、区間ごとに個別に、加わる載荷荷重を両端支持点に支持させているのが実情である。
【０００３】
【発明が解決しようとする課題】
しかし、各支持点の強度が不足するとき、すなわち、耐載荷荷重の小さい支持材の場合には、各支持点を構造的に補強するなどの対策が必要であり、その補強工事に多大な時間と費用を要する。
そこで、本発明は、一の区間の足場からの荷重を、当該区間の支持点だけでなく、隣接する他の区間の支持点にも分散させることにより、各支持点の荷重負担を軽減させて、補強工事を削減し、工期を短縮し、工事費を低減しようとするものである。
【０００４】
【課題を解決するための手段】
請求項１の発明は、所定スパンで配列された支持点間に各々足場ワイヤーを張設し、これらの足場ワイヤーにそれぞれ足場を布設して、区間ごとの載荷荷重を当該区間の両支持点だけで負担する吊り足場において、各区間の支持点間に不釣合い力伝達棒状部材を張り渡して、各区間の両支持点が負担する載荷荷重を隣接する他の区間の支持点へと分散させることを特徴とする。
【０００５】
請求項２の発明は、所定スパンで配列された支持材１にそれぞれワイヤー取付パイプ２を組み付け、これらのワイヤー取付パイプ２の相互間に適数の足場ワイヤー３と不釣合い力伝達棒状部材４とを張設し、それらの足場ワイヤー３にそれぞれ足場５を装着することで、各区間の両支持材１が負担する載荷荷重をそれらの不釣合い力伝達棒状部材４を介して隣接する他の区間の支持材１へと分散させることを特徴とする。
【０００６】
【発明の実施の形態】
図面は、請求項１、請求項２の発明に係る荷重分散型吊り足場の施工法における実施の形態を示している。
図１、図２において、１は、所定スパンで配列された耐載荷荷重の小さい支持材、２は、各支持材に組み付けたワイヤー取付パイプ、３は、これらのワイヤー取付パイプの相互間に張設した左右の足場ワイヤー、４は、該足場ワイヤーに沿えてそれらのワイヤー取付パイプの相互間に張り渡した不釣合い力伝達棒状部材、５は、それらの足場ワイヤーに装着した足場である。
【０００７】
この荷重分散型吊り足場の施工法は、例えば、図３乃至図５に示す、彎曲大屋根トラスＡの上に二重膜屋根Ｂを張設した大型のドーム状二重膜屋根構造物において、その彎曲大屋根トラスＡ中に設ける吊り足場に採用するものであり、この彎曲大屋根トラスＡは、図４、図５に示すように、上弦材Aa、下弦材Ab、束材Ac及びブレース材Adとから成る大小の彎曲トラスAoを、所定間隔に配列するとともに、各束材Acの中間部において、それぞれ一対の平行部材から成る短辺アーチ材Aeを直交させて、全体形状をドーム型に形成するものである。
【０００８】
この場合の支持材１は、本設の上記ブレース材Adであり、ブレース材Ad相互間に直列状態に施工する。
ワイヤー取付パイプ２は、支持材１たる各ブレース材Adの前後に各一対を挟着状態に配して、それぞれ三連クランプ６により水平に組み付ける。各一対相互には、左右両側にそれぞれワイヤー取付アングル７をＵボルト８により架設する（図３、図４）。
足場ワイヤー３は、各区間において、それぞれのワイヤー取付パイプ２の相互間に、左右各２本を所要間隔を隔てて張設する。この張設には、両端を上記各ワイヤー取付アングル７の水平片の端部に、ターンバックル９、シャックル10等を介して長さ調整可能に接続する（図３、図４）。
不釣合い力伝達棒状部材４は、鉄筋等の真っ直ぐなタイバー11を用い、ワイヤー取付パイプ２の相互間に、左右各２本を上記各足場ワイヤー３に沿えて張り渡す。この張り渡しには、両端を上記各ワイヤー取付アングル７の垂直片の端部に、ボルト・ナット等により接合する（図３、図４）。また、各タイバー11には、長さ調整可能に適所にスリーブナット12を介在させる。
足場５は、多数の腕パイプ13、足場板14、自在ステップ15、手摺柱パイプ16、手摺パイプ17、その他クランプ等から成る。そして、これらの部材による足場  ５の組み立ては、左右の足場ワイヤー３間に所定間隔ごとに腕パイプ13をわたし、ワイヤー固定クランプ18で各足場ワイヤー３と各腕パイプ13とを締結し、それらの腕パイプ13の上に、比較的傾斜の小さい箇所では図１に示す平坦な足場板14を布設し、また、比較的傾斜の大きい箇所では図２に示す自在ステップ15を布設して、それらを腕パイプ13へと適宜に結束固定する。更に、各ワイヤー固定クランプ18には手摺柱パイプ16の下端部をそれぞれ締結して起立させ、各手摺柱パイプ16の上端部に手摺パイプ17をわたしてそれぞれ自在クランプ19で締結する。
足場５の下には、一様に安全ネット20を張る。該安全ネット20は、両側を足場ワイヤー３等に結束することにより行う。
【０００９】
出来上がった吊り足場では、足場５にかかる載荷荷重は、当該区間の足場ワイヤー３等を介してワイヤー取付パイプ２へと伝達され、その載荷荷重の一部を、当該区間の両支持材１が受けてこれを負担するとともに、他の一部を、各所の不釣合い力伝達棒状部材４たるタイバー11がワイヤー取付パイプ２等を介して隣接する他の支持材１へと次々に伝えて分散させ、これを受けた他の支持材１が相応に負担する。
【００１０】
【発明の効果】
本発明によれば、既述構成であるから、次の効果を奏する。
▲１▼  足場に作用する荷重を支持する支持点を増すことができて、支持点の補強工
事が不要となり、工期を短縮でき、工事費を低減できる。
▲２▼  軽量な資材で対応できるので、施工性を向上させることができる。
▲３▼  三次元的に変化する構造物の吊り足場としても水平展開が期待できる。
【図面の簡単な説明】
【図１】  本発明の荷重分散型吊り足場の施工法に係る比較的傾斜の小さい箇所での実施の形態を示す斜視図である。
【図２】  本発明の荷重分散型吊り足場の施工法に係る比較的傾斜の大きな箇所での実施の形態を示す斜視図である。
【図３】  図１、図２における要部の拡大側面図である。
【図４】  同要部の拡大平面図である。
【図５】  本発明の荷重分散型吊り足場の施工法を適用するドーム状二重膜屋根構造物を示す平面図である。
【図６】  図５のＩ−Ｉ線断面図である。
【図７】  図５のII−II線断面図である。
【符号の説明】
１…支持材                      ２…ワイヤー取付パイプ
３…足場ワイヤー                ４…不釣合い力伝達棒状部材
５…足場                        ６…三連クランプ
７…ワイヤー取付アングル        ８…Ｕボルト
９…ターンバックル              10…シャックル
11…タイバー                    12…スリーブナット
13…腕パイプ                    14…足場板
15…自在ステップ                16…手摺柱パイプ
17…手摺パイプ                  18…ワイヤー固定クランプ
19…自在クランプ                20…安全ネット
Ａ…彎曲大屋根トラス            Ｂ…二重膜屋根
Ao…彎曲トラス                  Aa…上弦材
Ab…下弦材                      Ac…束材
Ad…ブレース材                  Ae…短辺アーチ材
【図１】
0003640741.tif 000002
【図２】
0003640741.tif 000003
【図３】
0003640741.tif 000004
【図４】
0003640741.tif 000005
【図５】
0003640741.tif 000006
【図６】
0003640741.tif 000007
【図７】
0003640741.tif 000008